(57)【要約】【課題】多数種類の写真フィルムのコマ画像を読み取ることができ、しかも、装置の大型化を抑制できる画像読取装置を提供する。【解決手段】複数種類の現像済み写真フィルムに形成されたコマ画像を読み取るための画像読取装置において、コマ画像を読み取るために設けられる読み取り開口部３３と、フィルム種毎に設けられると共に、その途中に読み取り開口部３３が共通して配置される複数の搬送経路３０，３１，３２と、読み取り開口部３３の一方側に配置されるハロゲンランプ２と、読み取り開口部３３の他方側に配置されるラインセンサー７と、写真フィルムの搬送される方向に対応して、ラインセンサー７の姿勢を変更する回転駆動部２５とを備えている。【選択図】図２
2007184828.tif 000002
【特許請求の範囲】
【請求項１】
複数種類の現像済み写真フィルムに形成されたコマ画像を読み取るための画像読取装置において、
コマ画像を読み取るために設けられる読み取り開口部と、
フィルム種毎に設けられると共に、その途中に前記読み取り開口部が共通して配置される複数の搬送経路と、
読み取り開口部の一方側に配置される読み取り用光源と、
読み取り開口部の他方側に配置される画像読取手段と、
写真フィルムの搬送される方向に対応して、画像読取手段の姿勢を変更する姿勢変更手段とを備えていることを特徴とする画像読取装置。
【請求項２】
複数種類の現像済み写真フィルムに形成されたコマ画像を読み取るための画像読取装置において、
コマ画像を読み取るために設けられる読み取り開口部と、
フィルム種毎に設けられると共に、その途中に前記読み取り開口部が共通して配置される複数の搬送経路と、
読み取り開口部の一方側に配置される読み取り用光源と、
読み取り開口部の他方側に配置される画像読取手段と、
写真フィルムの搬送方向と画像読取手段のセンサー並び方向が対応しない場合に、対応する方向に画像データを補正する画像補正手段とを備えたことを特徴とする画像読取装置。
【発明の詳細な説明】
【技術分野】
【０００１】
本発明は、複数種類の現像済み写真フィルムに形成されたコマ画像を読み取るための画像読取装置に関するものである。
【背景技術】
【０００２】
現像済み写真フィルムに形成されているコマ画像を読み取り、これをデジタルデータ化し、写真プリントを作製したり画像データをメディアに書き込むサービスが写真店などで提供されている。コマ画像を読み取るためには、フィルム搬送ユニットと呼ばれるユニットを用いる。フィルム搬送ユニットの一般的な構成は、写真フィルムを搬送する搬送経路と、その搬送経路の途上に設けられた読み取り開口部と、読み取り開口部の一方側に配置される読み取り用光源と、読み取り開口部の他方側に配置されるラインセンサー（画像読取手段に相当）とを備えている。コマ画像を読み取る際には、写真フィルムを搬送経路に沿って搬送させながら、ラインセンサーにより順次コマ画像を読み取っていく構成を採用している。
【０００３】
一方、写真フィルムには１３５タイプ、２４０タイプ、１１０タイプなどの種々のタイプの写真フィルムが存在し、夫々幅寸法が異なっている。従って、フィルム搬送ユニットについては、写真フィルムの種類毎に用意しておく必要があり、異なる種類の写真フィルムのコマ画像を読み取るためには、フィルム搬送ユニットを装着しなおす必要があり、作業が煩雑であった。
【０００４】
また、１３５タイプと２４０タイプの両方の写真フィルムのコマ画像を読み取るためのフィルム搬送ユニットとしては、下記特許文献１に開示される写真フィルム処理装置が知られている。この装置は、１３５タイプの写真フィルム用に設けられた第１開口部及び第１搬送経路と、２４０タイプの写真フィルム用に設けられた第２開口部及び第２搬送経路とを備えており、２つの読み取り開口部と搬送経路を備えている。また、読み取り光学系は共通で使用するため、２つの搬送経路と読み取り開口部を備えたユニット全体が平面内でスライド移動できるように構成されており、いずれか一方の読み取り開口部を読み取り光軸内に設定するように構成されている。
【０００５】
【特許文献１】特開２００１−５１３５２号公報
【発明の開示】
【発明が解決しようとする課題】
【０００６】
しかしながら、開口部を夫々のタイプの写真フィルム毎に備えており、しかも搬送経路を備えたユニット全体をスライド移動させる構成であるから、スライド移動のための機構も大型化すると共に、スライド移動のための空間部も確保しておく必要がある。従って、フィルム搬送ユニット全体の大きさも大型化する傾向にあり、３種類以上の写真フィルムのコマ画像を読み取ろうとすると、更なる大型化を招来するため好ましい形態とは言えなかった。
【０００７】
本発明は上記実情に鑑みてなされたものであり、その課題は、多数種類の写真フィルムのコマ画像を読み取ることができ、しかも、装置の大型化を抑制できる画像読取装置を提供することである。
【課題を解決するための手段】
【０００８】
上記課題を解決するため本発明に係る画像読取装置は、
複数種類の現像済み写真フィルムに形成されたコマ画像を読み取るための画像読取装置において、
コマ画像を読み取るために設けられる読み取り開口部と、
フィルム種毎に設けられると共に、その途中に前記読み取り開口部が共通して配置される複数の搬送経路と、
読み取り開口部の一方側に配置される読み取り用光源と、
読み取り開口部の他方側に配置される画像読取手段と、
写真フィルムの搬送される方向に対応して、画像読取手段の姿勢を変更する姿勢変更手段とを備えていることを特徴とするものである。
【０００９】
かかる構成による画像読取装置の作用・効果を説明する。この画像読取装置は、複数種類の写真フィルムのコマ画像読み取りに対応するため、複数の搬送経路を備えている。また、読み取り開口部を備えているが、各搬送経路毎に開口部を設けるのではなく、読み取り開口部は共通で使用できるように搬送経路を形成する。従って、搬送経路が読み取り開口部を中心として斜めに交差するような配置構成となることもありうる。一方、画像読み取り用の画像読取手段については、写真フィルムの搬送される方向に対応して、姿勢変更可能に構成されている。例えば、基準となる搬送経路に対して斜め方向となる搬送経路を用いて写真フィルムの画像読み取りを行なう場合には、これに対応して画像読取手段の姿勢を変更するようにする。これにより、開口部および画像読取手段を共通で使用でき、また、搬送経路を複数設けたとしても、搬送経路をスライド移動させる機構も不要である。その結果、多数種類の写真フィルムのコマ画像を読み取ることができ、しかも、装置の大型化を抑制できる画像読取装置を提供することができる。
【００１０】
上記課題を解決するため本発明に係る別の画像読取装置は、
複数種類の現像済み写真フィルムに形成されたコマ画像を読み取るための画像読取装置において、
コマ画像を読み取るために設けられる読み取り開口部と、
フィルム種毎に設けられると共に、その途中に前記読み取り開口部が共通して配置される複数の搬送経路と、
読み取り開口部の一方側に配置される読み取り用光源と、
読み取り開口部の他方側に配置される画像読取手段と、
写真フィルムの搬送方向と画像読取手段のセンサー並び方向が対応しない場合に、対応する方向に画像データを補正する画像補正手段とを備えたことを特徴とするものである。
【００１１】
かかる構成による画像読取装置の作用・効果を説明する。先ほどと同様に読み取り開口部を共通で使用する。この場合、例えば、画像読取手段としてラインセンサーを使用すると、ラインセンサーのセンサー並び方向が、搬送される写真フィルムの幅方向と一致せず、例えば、斜め方向となることがある。かかる場合を写真フィルムの搬送方向とセンサー並び方向が対応しない状態であると定義する。かかる場合、対応する方向のデータとなるように、画像データを補正する画像補正手段を備えている。これにより、適切な画像データとすることができる。その結果、多数種類の写真フィルムのコマ画像を読み取ることができ、しかも、装置の大型化を抑制できる画像読取装置を提供することができる。
【発明を実施するための最良の形態】
【００１２】
本発明に係る画像読取装置の好適な実施形態を図面を用いて説明する。図１は、画像読取装置が用いられている写真処理装置の構成を示す模式図である。
【００１３】
＜写真処理装置の構成＞
写真処理システムは、スキャナーＡ（画像読取装置に相当）とプリンタプロセッサーＢとから構成される。スキャナーＡは、現像済み写真フィルムに形成されているコマ画像を読み取りデジタルデータ化する機能を有する。プリンタプロセッサーＢは、スキャナーＡにより読み取られた画像データに基づいて、写真感光材料であるペーパーに画像を焼付露光し写真プリントを作成する。
【００１４】
画像読み取り対象である写真フィルムＦは、フィルム搬送ユニット１にセットされる。フィルム搬送ユニット１には、照射光を通過させるための開口部が設けられている。フィルム搬送ユニット１には、写真フィルムＦを搬送させるために搬送ローラ１ａが搬送経路に沿って設けられている。フィルム搬送ユニット１の詳細は後述する。
【００１５】
画像読み取り用光源として、ハロゲンランプ２が設けられている。調光フィルター３は、ハロゲンランプ２から照射される光の色バランスを調整する。調光フィルター３は、ハロゲンランプ２の下方に設けられる。調光フィルター３の下方には、拡散板４が設けられ、照射される光を均一な状態にする。拡散板４は、光路中に挿入されている状態である。ミラートンネル５は、調光フィルター３及び拡散板４を通過した光を均一に混色する機能を有する。
【００１６】
フィルム搬送ユニット１の下方には、結像レンズ６が設けられており、写真フィルムのコマ画像をＣＣＤラインセンサー７の素子上に結像させる機能を有する。ＣＣＤラインセンサー７（画像読取手段）は、可視光による写真フィルムＦの透過画像データを読み取るために設けられる。取得された画像データは、画像出力部８を介してプリンタプロセッサーＢ側へと送信される。ラインセンサー７については、ＣＣＤ以外のタイプのものを使用しても良い。
【００１７】
次に、プリンタプロセッサーＢの構成を簡単に説明する。画像処理部１０は、読み取られたコマ画像に対する画像処理を行う機能を有する。画像処理としては、適切な画質の写真プリントが作製されるように色・濃度の補正を行う処理や、赤目補正や逆光補正、プリントサイズに合わせたデータの拡大縮小処理などが例としてあげられる。
【００１８】
画像処理された画像データは、画像露光部１１に転送されて写真感光材料に画像が焼付露光される。画像露光部１１としては、レーザー光により画像形成を行なうレーザーエンジンが例としてあげられる。現像処理部１２は、画像が焼付露光された写真感光材料の現像処理を行い、乾燥処理部１３は現像処理された写真感光材料の乾燥処理を行なう。乾燥処理された写真感光材料は、仕上がりの写真プリントとしてプリント集積部１４に集積される。
【００１９】
また、写真プリントの作製ではなく、画像データの書き込みを行う場合には、画像処理された画像データは、ＣＤ−Ｒ書き込み部１５に転送され、記録媒体であるＣＤ−Ｒに画像データの書き込み処理が行われる。画像データが書き込まれたＣＤ−Ｒは、ＣＤ−Ｒ集積部１６に集積される。なお、写真プリントの作製とＣＤ−Ｒへの画像データの書き込みの両方が行なわれることもある。
【００２０】
スキャナーＡ及びプリンタプロセッサーＢを制御するコントローラ２０が設けられている。コントローラ２０には、モニター２１と操作部２２が接続されている。モニター２１には、スキャナーＡにより読み取られた画像がモニター画面に表示される。オペレータは、この画面を見ながら写真処理に必要な種々の作業を行う。操作部２２は、キーボードやマウス等の入力手段により構成され、写真処理に必要なデータの入力や、各種の指令を与える。
【００２１】
＜フィルム搬送ユニットの構成＞
次に、フィルム搬送ユニット１の構成を図２の概念図により説明する。このフィルム搬送ユニット１は、３種類の写真フィルムのコマ画像を読み取れるように、３つの搬送経路３０，３１，３２が設けられている。例えば、第１搬送経路３０は、１３５タイプの写真フィルム（幅３５ｍｍ）が搬送され、第２搬送経路３１は１２０タイプの写真フィルム（幅６１．５ｍｍ）が搬送され、第３搬送経路３２は２４０タイプ（ＡＰＳカメラ用）の写真フィルム（幅２４ｍｍ）が搬送される。各搬送経路３０〜３２には、写真フィルムを搬送するための搬送ローラ１ａが設けられている。各搬送経路３０〜３２において、写真フィルムを挿入する方向が矢印Ｄ１，Ｄ２，Ｄ３により示されている。
【００２２】
また、各搬送経路３０〜３２については、同じ搬送経路を用いて更に異なる種類の写真フィルムを搬送できるように構成できる。例えば、第１搬送経路３０については、１３５タイプの写真フィルムだけでなく、１１０タイプの写真フィルムを矢印Ｄ１’方向から挿入して搬送できるようにすることができる。この場合、幅寸法が異なるため、幅寸法を合わせるためのアダプタを第１搬送経路３０内にセットできるようにすれば良い。
【００２３】
各搬送経路３０〜３２が交差する位置に読み取り開口部３３が設けられる。この読み取り開口部３３の中心が読み取り光軸の中心であり、読み取り開口部３３の一方側に、光源ユニットＬが配置され、ハロゲンランプ２等が配置される。また、読み取り開口部３３の他方側に読み取りユニットＲが配置され、ラインセンサー７等が配置される。読み取り開口部３３は、円形に形成されている。
【００２４】
光源ユニットＬの光出力側には、マスク部材３４が配置されており、光を通過するための円形開口部３４ａが形成されている。読み取りユニットＲの光入力側には、スリット３５が形成されており、このスリット３５を介して写真フィルムの透過光像をラインセンサー７により読み取ることができる。
【００２５】
回転駆動部２５（姿勢変更手段に相当）は、読み取りユニットＲを光軸周りに回転させる機能を有しており、スリットが読み取ろうとする写真フィルムの幅方向に沿うように位置させる。すなわち、スリット３５は、ラインセンサー７の並び方向に対応した細長の矩形形状の孔として形成されており、写真フィルムが搬送される方向と直交する方向（フィルム幅方向）にスリット３５を位置させる。読み取りユニットＲを回転させることで、ラインセンサー７も搬送面に平行な面内で光軸周りに回転させることができる。駆動量設定部２６には、フィルム種類毎に読み取りユニットＲを回転させる量（角度）が設定されている。フィルム種設定部２７には、これからコマ画像を読み取ろうとする写真フィルムの種類が設定される。
【００２６】
コントローラ２０は、設定されている写真フィルムの種類と駆動量設定部２６に設定されている回転駆動量に基づいて、回転駆動部２５を制御して、読み取りユニットＲを回転させる。なお、第１搬送経路３０を用いて１３５タイプの写真フィルムのコマ画像を読み取るときには、読み取りユニットＲを回転させる必要はない。前述のマスク部材３４に形成される開口部もスリット形状とし、読み取りユニットＲと連動して回転させるように構成しても良い。
【００２７】
フィルム駆動部２８は、読み取りを行なう写真フィルムが搬送される搬送経路３０〜３２の搬送ローラ１ａを駆動して、写真フィルムを搬送経路に沿って搬送させる。写真フィルムが搬送される搬送経路３０〜３２の搬送ローラのみを駆動するように制御される。
【００２８】
以上の構成によれば、１つのフィルム搬送ユニット１により３種類の写真フィルムのコマ画像を読み取ることができ、フィルム搬送ユニット１を頻繁に着脱する必要がなくなる。また、写真フィルムの搬送方向に合わせて、読み取りユニットＲを回転するようにしているので、適切な姿勢にラインセンサー７をセットした上で、画像読み取りを行なうことができる。ラインセンサー７により読み取られた画像信号は、信号処理部９において所定の処理（増幅、Ａ／Ｄ変換等）がなされた上でデジタルデータ化され、画像出力部８から出力される。
【００２９】
＜画像読み取りの手順＞
次に、写真フィルムのコマ画像を読み取るときの処理手順を簡単に説明する。図３には示していないが、搬送経路３０〜３２を覆うための蓋が設けられる。１２０タイプの写真フィルムのコマ画像を読み取る場合は、第２搬送経路３１に写真フィルムをセットして、蓋を閉じる。ついで、適宜の読み取り開始ボタンを操作することで、コントローラ２０からフィルム駆動部２８に指令が行き、搬送ローラ１ａを駆動する。これにより、写真フィルムが搬送される。
【００３０】
写真フィルムの先頭が読み取り開口部３３に到達すると、画像データの読み取りが開始されていく。写真フィルムは連続的に搬送され、搬送経路３１の出口側から排出されていく。読み取られた画像データは、画像出力部８からプリンタプロセッサーＢへと出力される。
【００３１】
写真フィルムの画像読み取りには、プレスキャンと本スキャンがあり、プレスキャンは低解像度の画像データを取得して、モニターに表示して色・濃度等の画質の判定を行うために用いられる。このとき、必要に応じて、色・濃度等の補正データが設定される。本スキャンは、高解像度の画像データを取得するものであり、上記補正データを用いて、写真プリントを作製するためのプリント用画像データを作製するために用いられる。
【００３２】
従って、画像読み取りを行なう場合は、まずプレスキャンのために写真フィルムを矢印Ｄ２方向に搬送させ、本スキャンのときは排出された写真フィルムを再度矢印Ｄ２方向に搬送させることで、本スキャンを行なうことができる。あるいは、Ｄ２とは逆方向から挿入することで、本スキャンを行なうようにしても良い。
【００３３】
＜第２実施形態＞
図３は、第２実施形態に係るフィルム搬送ユニット１の構成例を示す図である。図２に示す構成と異なる点を中心に説明する。この実施形態では、読み取りユニットＲは回転せず固定されている。従って、スリット３５およびラインセンサー７の配置も固定されている。従って、第２搬送経路３１や第３搬送経路３２により搬送される写真フィルムとラインセンサー７の配置関係は、図４に示すように角度θだけ互いに傾斜しており、写真フィルムの搬送方向とセンサーの並び方向が対応していない。
【００３４】
そこで、図３に示すように画像補正部２９を設け、画像データの補正を行う。すなわち、ラインセンサー７が搬送方向に直交する状態で得られた画像データに修正する。また、図４に示すようにラインセンサー７が傾斜した状態で配置されるので、解像度の高い画像データを得ることが可能になる。θの値は、フィルム種により異なるため、フィルム種設定部２７の設定内容に基づき、画像補正が行われる。
【００３５】
＜別実施形態＞
本実施形態では、フィルム搬送ユニット１に設けられる搬送経路の数は３つであるが、これに限定されるものではなく、例えば、4つ以上設けてもよい。読み取り開口部の形状は円形でなくてもよく、例えば、矩形に形成してもよい。
【図面の簡単な説明】
【００３６】
【図１】画像読取装置が用いられている写真処理装置の構成を示す模式図
【図２】フィルム搬送ユニットの構成を示す概念図
【図３】第２実施形態のフィルム搬送ユニットの構成を示す概念図
【図４】写真フィルムの搬送方向とラインセンサーの配置関係を示す図
【符号の説明】
【００３７】
１        フィルム搬送ユニット
１ａ      搬送ローラ
２        ハロゲンランプ
７        ラインセンサー
２０      コントローラ
２５      回転駆動部
２６      駆動量設定部
２９      画像補正部
３０      第1搬送経路
３１      第２搬送経路
３２      第３搬送経路
３３      読み取り開口部
３５      スリット
Ｌ        光源ユニット
Ｒ        読み取りユニット
【図１】
2007184828.tif 000003
【図２】
2007184828.tif 000004
【図３】
2007184828.tif 000005
【図４】
2007184828.tif 000006